(57)【要約】      （修正有）【課題】ノイズをキャンセルする。【解決手段】音声処理部の録音手段は、１回目のパルスシーケンスＰＳ１を実行することにより発生したノイズＮ１を録音しておく。音声処理部のノイズ低減手段は、２回目以降のパルスシーケンスに同期して、録音されたノイズＮ１の逆位相ノイズＮ１′を生成し、逆位相ノイズＮ１′を、音声処理部に伝送されてきたノイズに加算する。したがって、マイクに入力されたノイズを低減することができ、オペレータは、被検体の音声Ｖをクリアに聞くことができる。【選択図】図６
2011194178.tif 000002
【特許請求の範囲】
【請求項１】
被検体から磁気共鳴信号を収集するためのパルスシーケンスを複数回実行する磁気共鳴イメージング装置であって、
前記被検体の音声を取得するマイクと、
ｎ（１以上の整数）回目の前記パルスシーケンスを実行している間に前記マイクで受信されたノイズに基づいて、ｎ＋ｊ（ｊは１以上の整数）回目の前記パルスシーケンスを実行している間に前記マイクで受信された音に含まれるノイズを低減するノイズ低減手段と、
前記ノイズが低減された音を出力するスピーカと、
を有する、磁気共鳴イメージング装置。
【請求項２】
ｎ回目の前記パルスシーケンスを実行している間に前記マイクで受信されたノイズを録音する録音手段を有し、
前記ノイズ低減手段は、
前記録音手段により録音されたノイズの逆位相のノイズを生成し、前記逆位相のノイズを、ｎ＋ｊ（ｊ≧１）回目の前記パルスシーケンスを実行している間に前記マイクで受信された音に加算する、請求項１に記載の磁気共鳴イメージング装置。
【請求項３】
前記ノイズ低減手段は、
前記パルスシーケンスが実行されるタイミングに同期して、前記録音手段により録音されたノイズの逆位相のノイズを生成し、前記逆位相のノイズを前記マイクで受信された音に加算する、請求項２に記載の磁気共鳴イメージング装置。
【請求項４】
前記ノイズ低減手段は、
前記パルスシーケンスの勾配磁場が印加されるタイミングに同期して、前記録音手段により録音されたノイズの逆位相のノイズを生成し、前記逆位相のノイズを前記マイクで受信された音に加算する、請求項２に記載の磁気共鳴イメージング装置。
【請求項５】
前記パルスシーケンスは、前記被検体の生体信号に同期して実行され、
前記ノイズ低減手段は、
前記生体信号に同期して、前記録音手段により録音されたノイズの逆位相のノイズを生成し、前記逆位相のノイズを前記マイクで受信された音に加算する、請求項２に記載の磁気共鳴イメージング装置。
【請求項６】
前記生体信号は、脈波信号、心電信号、又は呼吸信号である、請求項５に記載の磁気共鳴イメージング装置。
【発明の詳細な説明】
【技術分野】
【０００１】
本発明は、被検体から磁気共鳴信号を収集するためのパルスシーケンスを実行する磁気共鳴イメージング装置に関する。
【背景技術】
【０００２】
従来より、スキャン中であっても被検体がオペレータと話せるように、被検体の音声を入力するマイクと、マイクに入力された音声を出力しオペレータに伝えるスピーカとを備えた磁気共鳴イメージング装置が知られている。しかし、スキャン中は、コイルの振動によって大きな騒音が発生するので、マイクには、被検体の音声の他に、騒音によるノイズも入力されてしまい、被検体の音声をクリアに聞くことができないことがある。そこで、ノイズキャンセル機能を備えた磁気共鳴イメージング装置が提案されている（特許文献１参照）。
【先行技術文献】
【特許文献】
【０００３】
【特許文献１】特開2009-188858号公報
【発明の概要】
【発明が解決しようとする課題】
【０００４】
特許文献１では、患者の音声を取得する患者用マイクの他に、ノイズを取得する別のマイクも用意しなければならず、コストが高くなる。そこで、このような別のマイクを備えなくてもノイズキャンセルが可能な磁気共鳴イメージング装置が望まれる。
【課題を解決するための手段】
【０００５】
被検体から磁気共鳴信号を収集するためのパルスシーケンスを複数回実行する磁気共鳴イメージング装置であって、
前記被検体の音声を取得するマイクと、
ｎ（１以上の整数）回目の前記パルスシーケンスを実行している間に前記マイクで受信されたノイズに基づいて、ｎ＋ｊ（ｊは１以上の整数）回目の前記パルスシーケンスを実行している間に前記マイクで受信された音に含まれるノイズを低減するノイズ低減手段と、
前記ノイズが低減された音を出力するスピーカと、
を有する。
【発明の効果】
【０００６】
ｎ回目の前記パルスシーケンスを実行している間に前記マイクで受信されたノイズに基づいて、ｎ＋ｊ回目の前記パルスシーケンスを実行している間に前記マイクで受信された音に含まれるノイズを低減するので、高い精度でノイズキャンセルをすることができる。
【図面の簡単な説明】
【０００７】
【図１】本発明の第１の実施形態の磁気共鳴イメージング装置１を示す図である。
【図２】第１の実施形態において実行されるスキャンの説明図である。
【図３】音声処理部３２においてノイズを低減する方法を説明する図である。
【図４】ノイズＮ２〜ＮＺの一部のみをキャンセルする場合の説明図である。
【図５】第２の実施形態のＭＲＩ装置１００を示す概略図である。
【図６】第２の実施形態において実行されるスキャンの説明図である。
【図７】音声処理部３２においてノイズを低減する方法を説明する図である。
【発明を実施するための形態】
【０００８】
以下、発明の実施するための形態について説明するが、発明を実施するための形態は、以下の形態に限定されることはない。
【０００９】
（１）第１の実施形態
図１は、本発明の第１の実施形態の磁気共鳴イメージング装置１を示す図である。
【００１０】
磁気共鳴イメージング（ＭＲＩ（Magnetic Resonance Imaging））装置１は、磁場発生装置２と、テーブル３と、クレードル４と、受信コイル５などを有している。
【００１１】
磁場発生装置２は、被検体１３が収容されるボア２１と、超伝導コイル２２と、勾配コイル２３と、送信コイル２４とを有している。超伝導コイル２２は静磁場Ｂ0を印加し、勾配コイル２３は勾配パルスを印加し、送信コイル２４はＲＦパルスを送信する。尚、超伝導コイル２２の代わりに、永久磁石を用いてもよい。
【００１２】
クレードル４は、テーブル３からボア２１に移動できるように構成されている。クレードル４によって、被検体１３はボア２１に搬送される。
【００１３】
受信コイル５は、被検体１３の腹部１３ａに取り付けられており、腹部１３ａからの磁気共鳴信号を受信する。
【００１４】
また、ＭＲＩ装置１は、シーケンサ６、送信器７、勾配磁場電源８、受信器９、中央処理装置１０、入力装置１１、表示装置１２などを有している。
【００１５】
シーケンサ６は、中央処理装置１０の制御を受けて、ＲＦパルスの情報（中心周波数、バンド幅など）を送信器７に送り、勾配磁場の情報（勾配磁場の強度など）を勾配磁場電源８に送る。
【００１６】
送信器７は、シーケンサ６から送られた情報に基づいて、送信コイル２４を駆動する。
【００１７】
勾配磁場電源８は、シーケンサ６から送られた情報に基づいて、勾配コイル２３を駆動する。
【００１８】
受信器９は、受信コイル５で受信された磁気共鳴信号に、デジタル化処理を含む各種の処理を施し、中央処理装置１０に伝送する。
【００１９】
中央処理装置１０は、シーケンサ６および表示装置１２に必要な情報を伝送したり、受信器９から受け取った信号に基づいて画像を再構成するなど、ＭＲＩ装置１の各種の動作を実現するように、ＭＲＩ装置１の各部の動作を制御する。中央処理装置１０は、例えばコンピュータ（computer）によって構成される。
【００２０】
入力装置１１は、オペレータ１４の操作に応じて、種々の命令を中央処理装置１０に入力する。表示装置１２は種々の情報を表示する。
【００２１】
ＭＲＩ装置１は、更に、被検体１３の音声をオペレータ１４に伝えるための音声伝送装置３０を有している。音声伝送装置３０は、マイク３１、音声処理部３２、およびスピーカ３３を有している。
【００２２】
マイク３１は、被検体１３が発声した音声を受信する。
音声処理部３２は、マイク３１で受信された音声を処理する。音声処理部３２は、録音手段３２１およびノイズ低減手段３２２を有している。録音手段３２１は、マイク３１で受信されたコイルの振動などによるノイズ（騒音）を録音する。ノイズ低減手段３２２は、録音手段３２１が録音したノイズに基づいて、マイク３１で受信された音に含まれるノイズを低減し、スピーカ３３に送信する。尚、音声処理部３２の動作については、後で詳しく説明する。
スピーカ３３は、音声処理部３２から伝送された音を出力する。
【００２３】
上記のように構成されたＭＲＩ装置１を用いて、被検体１３を撮影する。
次に、被検体１３を撮影するときに実行されるスキャンについて説明する。
【００２４】
図２は、第１の実施形態において実行されるスキャンの説明図である。
図２（ａ）は、被検体１３の腹部１３ａを撮影するためのパルスシーケンスＰＳｉ（ｉ＝1〜ｚ）を示す図である。
【００２５】
パルスシーケンスＰＳｉは、繰返時間ＴＲの周期で、繰り返し実行される。図２（ａ）には、パルスシーケンスＰＳｉの一例として、グラディエントエコー系のパルスシーケンスが示されている。ただし、パルスシーケンスＰＳｉは、スピンエコー系など、別のシーケンスであってもよい。
【００２６】
図２（ｂ）は、パルスシーケンスＰＳｉが実行されている間にマイク３１に入力される音を概略的に示す図である。
【００２７】
パルスシーケンスＰＳｉを実行すると、勾配コイル２３および送信コイル２４の振動によって騒音が発生する。この騒音は、ノイズＮｉ（ｉ＝1〜ｚ）として、マイク３１に入力される。第１の実施形態では、パルスシーケンスＰＳ１〜ＰＳＺが実行されるので、マイク３１には、パルスシーケンスＰＳ１〜ＰＳＺにより発生した騒音が、ノイズＮ１〜ＮＺとして入力される。パルスシーケンスＰＳ１〜ＰＳｚは、繰返時間ＴＲで繰り返し実行されるので、ノイズＮ１〜ＮＺも、繰返時間ＴＲの周期で繰り返し発生する。尚、パルスシーケンスＰＳ１〜ＰＳｚは、勾配磁場の大きさが異なるものの、実質的には同一のシーケンスであるので、発生するノイズＮ１〜ＮＺの波形も、実質的に同一波形と見なすことができる。
【００２８】
上記のように、パルスシーケンスＰＳ１〜ＰＳｚが実行されている間、マイク３１は、繰返時間ＴＲの周期で、ノイズＮ１〜ＮＺを受信する。したがって、スキャン中に被検体１３が何か異常を感じ、例えば、パルスシーケンスＰＳｊ〜ＰＳｊ＋３が実行されている間に音声Ｖを発しても、マイク３１には、被検体１３が発した音声Ｖだけでなく、ノイズＮｊ〜Ｎｊ＋３も入力される。このため、音声ＶとノイズＮｊ〜Ｎｊ＋３との両方がスピーカ３３（図１参照）に伝送されてしまい、操作者１４は、被検体１３が発した音声Ｖをクリアに聞き取ることができないことがある。そこで、第１の実施形態では、音声処理部３２は、ノイズを低減する処理を実行している。以下に、音声処理部３２が、ノイズをどのようにして低減しているかについて説明する（図３参照）。
【００２９】
図３は、音声処理部３２においてノイズを低減する方法を説明する図である。
図３（ａ）は、パルスシーケンスＰＳｉ（ｉ＝1〜ｚ）を示す図、図３（ｂ）は、パルスシーケンスＰＳｉが実行されている間にマイク３１に入力される音を概略的に示す図、図３（ｃ）は、音声処理部３２のノイズ低減手段３２２が生成する逆位相ノイズを概略的に示す図、図３（ｄ）は、スピーカ３３から出力される音声を概略的に示す図である。
【００３０】
１回目のパルスシーケンスＰＳ１（図３（ａ）参照）が実行されると、ノイズＮ１が発生し、マイク３１に入力される（尚、１回目のパルスシーケンスＰＳ１が実行されている間は、被検体１３は声を発していないとする）。マイク３１に入力されたノイズＮ１は、音声処理部３２を経由して、スピーカ３３から出力される（図３（ｄ）参照）。このとき、音声処理部３２の録音手段３２１は、ノイズＮ１を録音しておく。
【００３１】
１回目のパルスシーケンスＰＳ１が実行された後、２回目のパルスシーケンスＰＳ２が実行される。
【００３２】
２回目のパルスシーケンスＰＳ２が実行されると、ノイズＮ２が発生し、マイク３１に入力される。マイク３１に入力されたノイズＮ２は、音声処理部３２に伝送される。一方、音声処理部３２のノイズ低減手段３２２は、２回目のパルスシーケンスＰＳ２が実行されるタイミング（例えば、パルスシーケンスＰＳ２の勾配磁場が印加されるタイミング）に同期して、録音されたノイズＮ１の逆位相のノイズ（以下、「逆位相ノイズ」と呼ぶ。）Ｎ１′を生成し、逆位相ノイズＮ１′を、音声処理部３２に伝送されてきたノイズＮ２に加算する（図３（ｂ）および（ｃ）参照）。したがって、ノイズＮ２と逆位相ノイズＮ１′とが互いに打ち消しあい、スピーカ３３からは、実質的に、ノイズＮ２による騒音が聞こえないようにすることができる（図３（ｄ）参照）。
【００３３】
尚、ＭＲＩ装置１の騒音の主な原因の一つは、勾配コイル２３（図１参照）の振動であるので、パルスシーケンスＰＳ２の勾配磁場が印加されるタイミングに同期して、逆位相ノイズＮ１′を生成することによって、ノイズキャンセルの効果を高めることができる。
【００３４】
２回目のパルスシーケンスＰＳ２が実行された後、３回目のパルスシーケンスＰＳ３が実行される。
【００３５】
３回目のパルスシーケンスＰＳ３が実行されると、ノイズＮ３が発生し、マイク３１に入力される。マイク３１に入力されたノイズＮ３は、音声処理部３２に伝送される。一方、音声処理部３２のノイズ低減手段３２２は、３回目のパルスシーケンスＰＳ３が実行されるタイミングに同期して、録音されたノイズＮ１の逆位相ノイズＮ１′を生成し、逆位相ノイズＮ１′を、音声処理部３２に伝送されてきたノイズＮ３に加算する（図３（ｂ）および（ｃ）参照）。したがって、ノイズＮ３と逆位相ノイズＮ１′とが互いに打ち消しあい、スピーカ３３からは、実質的に、ノイズＮ３による騒音が聞こえないようにすることができる（図３（ｄ）参照）。
【００３６】
以下同様に、ｉ（ｉ≧４）回目のパルスシーケンスＰＳｉが実行されるごとに、ノイズＮｉが発生し、マイク３１に入力されるが、音声処理部３２のノイズ低減手段３２２は、ｉ回目のパルスシーケンスＰＳｉが実行されるタイミングに同期して、録音されたノイズＮ１の逆位相ノイズＮ１′を生成し、逆位相ノイズＮ１′を、音声処理部３２に伝送されてきたノイズＮｉに加算する。したがって、スピーカ３３からは、実質的に、ノイズＮｉによる騒音が聞こえないようにすることができる。
【００３７】
ただし、ｊ回目〜ｊ＋３回目のパルスシーケンスＰＳｊ〜ＰＳｊ＋３では、ノイズＮｊ〜Ｎｊ＋３だけでなく、被検体１３の音声Ｖが受信されている。ノイズＮｊ〜Ｎｊ＋３については、逆位相ノイズＮ１′が加算されるので、ノイズＮｊ〜Ｎｊ＋３と逆位相ノイズＮ１′とが互いに打ち消しあい、スピーカ３３からは、ノイズＮｊ〜Ｎｊ＋３の騒音はほとんど出力されないようにすることができる。一方、被検体１３の発した音声Ｖは、逆位相ノイズＮ１′による影響を受けないので、スピーカ３３からは、被検体１３の音声Ｖが出力される。したがって、マイク３１は、ノイズＮｊ〜Ｎｊ＋３と被検体１３の音声Ｖとの両方を同時に受信しているが、スピーカ３３から発せられる音は、ノイズＮｊ〜Ｎｊ＋３が十分に低減されているので、操作者１４は、スピーカ３３を通じて、被検体１３の音声Ｖをはっきりと聞き取ることができる。
【００３８】
また、マイク３１で取得したノイズＮ１の逆位相ノイズＮ１’を生成することによりノイズを低減している。したがって、マイク３１の他に、ノイズを取得するための専用のマイクが不要となり、コストの削減を図ることができる。
【００３９】
尚、第１の実施形態では、１回目のパルスシーケンスＰＳ１が実行されることにより発生したノイズＮ１の逆位相ノイズＮ１′を、２回目以降のパルスシーケンスが実行されることにより発生したノイズＮ２〜ＮＺに加算して、ノイズキャンセルを行っている。しかし、被検体１３の発生した音声Ｖをクリアに聞き取ることができるのであれば、必ずしもノイズＮ２〜ＮＺの全てをキャンセルする必要はない（図４参照）。
【００４０】
図４は、ノイズＮ２〜ＮＺの一部のみをキャンセルする場合の説明図である。
図４では、パルスシーケンスＰＳｍ（ｍは２以上の偶数）に同期して逆位相ノイズＮ１′を生成するが、パルスシーケンスＰＳｍ＋１に対しては逆位相ノイズＮ１′を生成しない場合の例が示されている。この場合、ノイズＮj-1およびＮj-３はキャンセルすることはできないが、ノイズＮjおよびＮj-２はキャンセルされる。このように、一部のノイズのみしかキャンセルしない場合でも、被検体１３の発生した音声Ｖをクリアに聞き取ることができるのであれば、ノイズＮ２〜ＮＺの一部のみをキャンセルしてもよい。
【００４１】
また、第１の実施形態では、１回目のパルスシーケンスＰＳ１が実行されることにより発生したノイズＮ１の逆位相ノイズＮ１′を用いて、ノイズキャンセルを行っている。しかし、ｋ（ｋ≧２）回目のパルスシーケンスＰＳｋが実行されることにより発生したノイズＮｋの逆位相ノイズＮｋ′を、ｋ＋１回目以降のパルスシーケンスにより発生したノイズに加算して、ノイズキャンセルを行ってもよい。しかし、この場合、１回目〜（ｋ−１）回目のパルスシーケンスＰＳ１〜ＰＳk-1が実行されることにより発生したノイズＮ１〜Ｎk-1はキャンセルすることができない。したがって、ｋ回目のパルスシーケンスが実行される前に被検体１３が音声Ｖを発した場合、オペレータ１４は被検体１３の音声Ｖをはっきりと聞き取ることができない恐れがある。このような理由から、１回目のパルスシーケンスＰＳ１が実行されることにより発生したノイズＮ１の逆位相ノイズＮ１′を用いてノイズキャンセルを行うことが望ましい。
【００４２】
（２）第２の実施形態
第２の実施形態では、心拍同期法で撮影する場合について説明する。
【００４３】
図５は、第２の実施形態のＭＲＩ装置１００を示す概略図である。
第２の実施形態のＭＲＩ装置１００は、脈波センサ４１と、脈波信号処理部４２とを備えているが、その他は、第１の実施形態のＭＲＩ装置１と同じである。
【００４４】
脈波センサ４は、被検体１３の脈波を検出する。
脈波信号処理部４２は、脈波センサ４１からの脈波信号に、デジタル化処理を含む各種の処理を施し、シーケンサ６および音声処理部３２に伝送する。
【００４５】
次に、第２の実施形態において、被検体１３を撮影するときに実行されるスキャンについて説明する。
【００４６】
図６は、第２の実施形態において実行されるスキャンの説明図である。
図６（ａ）は、脈波信号、図６（ｂ）は、パルスシーケンスＰＳｉ（ｉ＝1〜ｚ）、および図６（ｃ）は、パルスシーケンスＰＳｉが実行されている間にマイク３１に入力される音を示す図である。
【００４７】
パルスシーケンスＰＳｉは、脈波信号のピークから遅延時間ＴＤだけ遅れて実行される（図６（ａ）および（ｂ）参照）。したがって、撮影中に脈波信号のピーク間隔が変動した場合、パルスシーケンスＰＳｉの繰返時間ＴＲも変動するので、パルスシーケンスＰＳｉを実行することにより発生するノイズＮｉ（ｉ＝1〜ｚ）の繰返時間ＴＲも変動する（図６（ｃ）参照）。図６では、脈波信号は、ピーク間隔Ａ（ピークＰ１〜Ｐｋ＋１）から、ピーク間隔Ｂ（ピークＰｋ＋１とピークＰｋ＋２との間）に変化し、その後、ピーク間隔Ｃ（ピークＰｋ＋２以降）に変動している。この結果、撮影中に発生するノイズＮｉの繰返時間ＴＲが、ＴＲａ、ＴＲｂ、ＴＲｃと変化する。しかし、第２の実施形態では、ノイズＮｉの繰返時間ＴＲが変動する場合であっても、ノイズを十分に低減することができる。以下に、第２の実施形態において、音声処理部３２がノイズをどのようにして低減しているかについて説明する（図７参照）。
【００４８】
図７は、音声処理部３２においてノイズを低減する方法を説明する図である。
図７（ａ）は、脈波センサ４１で検出される脈波信号を示す図、図７（ｂ）は、パルスシーケンスＰＳｉを示す図、図７（ｃ）は、パルスシーケンスＰＳｉが実行されている間にマイク３１に入力される音を概略的に示す図、図７（ｄ）は、音声処理部３２のノイズ低減手段３２２が生成する逆位相ノイズを示す図、図７（ｅ）は、スピーカ３３から出力される音声を示す図である。
【００４９】
脈波信号のピークＰ１（図７（ａ）参照）に同期して、１回目のパルスシーケンスＰＳ１（図７（ｂ）参照）が実行されると、ノイズＮ１が発生し（図７（ｃ）参照）、マイク３１に入力される（尚、１回目のパルスシーケンスＰＳ１が実行されている間は、被検体１３は声を発していないとする）。マイク３１に入力されたノイズＮ１は、音声処理部３２を経由して、スピーカ３３から出力される（図７（ｄ）参照）。このとき、音声処理部３２の録音手段３２１は、ノイズＮ１を録音しておく。
【００５０】
１回目のパルスシーケンスＰＳ１が実行された後、脈波信号のピークＰ３に同期して、２回目のパルスシーケンスＰＳ２が実行される。
【００５１】
２回目のパルスシーケンスＰＳ２が実行されると、ノイズＮ２が発生し、マイク３１に入力される。マイク３１に入力されたノイズＮ２は、音声処理部３２に伝送される。一方、音声処理部３２のノイズ低減手段３２２は、脈波信号処理部４２から伝送された脈波信号のピークＰ３に同期して（脈波信号のピークＰ３から遅延時間ＴＤだけ遅れて）、録音されたノイズＮ１の逆位相ノイズＮ１′を生成し、逆位相ノイズＮ１′を、音声処理部３２に伝送されてきたノイズＮ２に加算する。したがって、ノイズＮ２と逆位相ノイズＮ１′とが互いに打ち消しあい、スピーカ３３からは、実質的に、ノイズＮ２による騒音が聞こえないようにすることができる（図７（ｅ）参照）。
【００５２】
２回目のパルスシーケンスＰＳ２が実行された後、脈波信号のピークＰ５に同期して、
３回目のパルスシーケンスＰＳ３が実行される。
【００５３】
３回目のパルスシーケンスＰＳ３が実行されると、ノイズＮ３が発生し、マイク３１に入力される。マイク３１に入力されたノイズＮ３は、音声処理部３２に伝送される。一方、音声処理部３２のノイズ低減手段３２２は、脈波信号処理部４２から伝送された脈波信号のピークＰ５に同期して（脈波信号のピークＰ５から遅延時間ＴＤだけ遅れて）、録音されたノイズＮ１の逆位相ノイズＮ１′を生成し、逆位相ノイズＮ１′を、音声処理部３２に伝送されてきたノイズＮ３に加算する。したがって、ノイズＮ３と逆位相ノイズＮ１′とが互いに打ち消しあい、スピーカ３３からは、実質的に、ノイズＮ３による騒音が聞こえないようにすることができる（図７（ｅ）参照）。
【００５４】
以下同様に、ｉ（ｉ≧４）回目のパルスシーケンスＰＳｉが実行されることによりノイズＮｉが発生するが、ノイズＮｉと逆位相ノイズＮ１′とが互いに打ち消しあい、スピーカ３３からは、実質的に、ノイズＮｉによる騒音が聞こえないようにすることができる（図７（ｅ）参照）。
【００５５】
尚、パルスシーケンスＰＳｉは脈波信号のピークに同期して実行されるので、図７に示すように、被検体１３の心拍が乱れると、パルスシーケンスＰＳｉにより発生するノイズＮｉの繰返時間が変動する。しかし、音声処理部３２のノイズ低減手段３２２は、脈波信号処理部４２から伝送された脈波信号のピークに同期して逆位相ノイズＮ１′を生成しているので、撮影中にノイズＮｉの繰返時間が変動しても、逆位相ノイズの繰返時間を、ノイズＮｉの繰返時間に合わせることができ、ノイズＮｉと逆位相ノイズＮ１′とを互いに打ち消すことができる。
【００５６】
ただし、ｊ回目〜ｊ＋３回目のパルスシーケンスＰＳｊ〜ＰＳｊ＋３では、ノイズＮｊ〜Ｎｊ＋３だけでなく、被検体１３の音声Ｖが受信されている。ノイズＮｊ〜Ｎｊ＋３については、逆位相ノイズＮ１′が加算されるので、ノイズＮｊ〜Ｎｊ＋３と逆位相ノイズＮ１′とが互いに打ち消しあい、スピーカ３３からは、ノイズＮｊ〜Ｎｊ＋３の騒音はほとんど出力されないようにすることができる。一方、被検体１３の発した音声Ｖは、逆位相ノイズＮ１′による影響を受けないので、スピーカ３３からは、被検体１３の音声Ｖが出力される。したがって、マイク３１は、ノイズＮｊ〜Ｎｊ＋３と被検体１３の音声Ｖとの両方を同時に受信しているが、スピーカ３３から発せられる音は、ノイズＮｊ〜Ｎｊ＋３が十分に低減されているので、操作者１４は、スピーカ３３を通じて、被検体１３の音声Ｖをはっきりと聞き取ることができる。
【００５７】
第２の実施形態では、脈波信号に同期してパルスシーケンスを実行する例について説明されている。しかし、本発明は、脈波信号以外の別の生体信号（例えば、呼吸信号、心電信号）に同期してパルスシーケンスを実行する場合にも適用することができる。例えば、呼吸信号又は心電信号に同期してパルスシーケンスを実行する場合には、呼吸信号又は心電信号に同期して逆位相ノイズＮ１′を生成することによって、ノイズＮｉと逆位相ノイズＮ１′とを互いに打ち消すことができる。呼吸信号は、ベローズや、ナビゲータエコー法を用いて収集することができる。
【符号の説明】
【００５８】
１  ＭＲＩ装置
２  磁場発生装置
３  テーブル
４  クレードル
５  受信コイル
６  シーケンサ
７  送信器
８  勾配磁場電源
９  受信器
１０  中央処理装置
１１  入力装置
１２  表示装置
１３  被検体
１４  オペレータ
２１  ボア
２２  超伝導コイル
２３  勾配コイル
２４  送信コイル
３０  音声伝送装置
３１  マイク
３２  音声処理部
３３  スピーカ
４１  脈波センサ
４２  脈波信号処理部
３２１  録音手段
３２２  ノイズ低減手段
【図１】
2011194178.tif 000003
【図２】
2011194178.tif 000004
【図３】
2011194178.tif 000005
【図４】
2011194178.tif 000006
【図５】
2011194178.tif 000007
【図６】
2011194178.tif 000008
【図７】
2011194178.tif 000009